(57)【特許請求の範囲】
【請求項１】
複数の端末装置の各々から当該端末装置の利用者による指示に応じた指示データを受信し、
前記複数の端末装置のうち、イベントの収録により生成されて第１配信環境により配信される第１コンテンツを、当該イベントの進行に並行して視聴する利用者の第１端末装置から、前記指示データを受信した場合に、前記イベントが実施される施設に演出効果を出力する第１処理を実行し、前記複数の端末装置のうち、前記イベントの収録により生成されて前記第１配信環境よりも配信遅延が大きい第２配信環境により配信される第２コンテンツを、当該イベントの進行に並行して視聴する利用者の第２端末装置から、前記指示データを受信した場合に、前記第１処理とは相違する第２処理を実行する
コンピュータシステムにより実現される制御方法。
【請求項２】
前記第１処理は、前記施設の再生システムに効果音を再生させる処理を含み、
前記第２処理は、前記効果音の音響特性を変化させる処理を含む
請求項１の制御方法。
【請求項３】
前記第１処理は、前記施設の再生システムに、効果音を表す音響信号を始点から供給する処理を含み、
前記第２処理は、前記音響信号を途中の時点から前記再生システムに供給する処理を含む
請求項１の制御方法。
【請求項４】
前記第１処理は、前記施設の再生システムに効果音を再生させる処理を含み、
前記第２処理は、前記効果音を前記第２コンテンツに付加する処理を含む
請求項１の制御方法。
【請求項５】
前記第２処理は、管理者による指示を契機として前記施設に演出効果を出力する処理を含む
請求項１の制御方法。
【請求項６】
前記第２処理は、
前記第２端末装置から指示データを受信した回数を、前記第２端末装置の利用者の属性毎に計数する処理と、
前記属性毎の回数に応じた演出効果を出力する処理とを含む
請求項１の制御方法。
【請求項７】
複数の端末装置の各々から当該端末装置の利用者による指示に応じた指示データを受信し、
前記複数の端末装置のうち、イベントが実施される施設において当該イベントを観覧する利用者の第１端末装置から、前記指示データを受信した場合に、前記施設に演出効果を出力する第１処理を実行し、前記複数の端末装置のうち、前記イベントの収録により生成されて配信されるコンテンツを当該イベントの進行に並行して視聴する利用者の第２端末装置から、前記指示データを受信した場合に、前記第１処理とは相違する第２処理を実行し、
前記第１処理は、前記施設の再生システムに効果音を再生させる処理を含み、
前記第２処理は、前記効果音の音響特性を変化させる処理を含む
コンピュータシステムにより実現される制御方法。
【請求項８】
複数の端末装置の各々から当該端末装置の利用者による指示に応じた指示データを受信し、
前記複数の端末装置のうち、イベントが実施される施設において当該イベントを観覧する利用者の第１端末装置から、前記指示データを受信した場合に、前記施設に演出効果を出力する第１処理を実行し、前記複数の端末装置のうち、前記イベントの収録により生成されて配信されるコンテンツを当該イベントの進行に並行して視聴する利用者の第２端末装置から、前記指示データを受信した場合に、前記第１処理とは相違する第２処理を実行し、
前記第１処理は、前記施設の再生システムに、効果音を表す音響信号を始点から供給する処理を含み、
前記第２処理は、前記音響信号を途中の時点から前記再生システムに供給する処理を含む
コンピュータシステムにより実現される制御方法。
【請求項９】
前記第１端末装置から指示データを受信した回数に関する複数の数値範囲の各々について相異なる複数の効果音が登録され、
前記第１処理は、
前記第１端末装置から指示データを受信した回数を計数する処理と、
前記複数の数値範囲のうち当該回数を含む数値範囲に対応する前記複数の効果音の何れかを選択的に前記施設の再生システムに再生させる処理とを含む
請求項１から請求項８の何れかの制御方法。
【請求項１０】
複数の端末装置の各々から当該端末装置の利用者による指示に応じた指示データを受信する受信制御部と、
前記複数の端末装置のうち、イベントの収録により生成されて第１配信環境により配信される第１コンテンツを、当該イベントの進行に並行して視聴する利用者の第１端末装置から、前記指示データを受信した場合に、前記イベントが実施される施設に演出効果を出力する第１処理を実行し、前記複数の端末装置のうち、前記イベントの収録により生成されて前記第１配信環境よりも配信遅延が大きい第２配信環境により配信される第２コンテンツを、当該イベントの進行に並行して視聴する利用者の第２端末装置から、前記指示データを受信した場合に、前記第１処理とは相違する第２処理を実行する出力制御部と
を具備する制御システム。
【請求項１１】
複数の端末装置の各々から当該端末装置の利用者による指示に応じた指示データを受信する受信制御部と、
前記複数の端末装置のうち、イベントが実施される施設において当該イベントを観覧する利用者の第１端末装置から、前記指示データを受信した場合に、前記施設に演出効果を出力する第１処理を実行し、前記複数の端末装置のうち、前記イベントの収録により生成されて配信されるコンテンツを当該イベントの進行に並行して視聴する利用者の第２端末装置から、前記指示データを受信した場合に、前記第１処理とは相違する第２処理を実行する出力制御部とを具備し、
前記第１処理は、前記施設の再生システムに効果音を再生させる処理を含み、
前記第２処理は、前記効果音の音響特性を変化させる処理を含む
制御システム。
【請求項１２】
複数の端末装置の各々から当該端末装置の利用者による指示に応じた指示データを受信する受信制御部と、
前記複数の端末装置のうち、イベントが実施される施設において当該イベントを観覧する利用者の第１端末装置から、前記指示データを受信した場合に、前記施設に演出効果を出力する第１処理を実行し、前記複数の端末装置のうち、前記イベントの収録により生成されて配信されるコンテンツを当該イベントの進行に並行して視聴する利用者の第２端末装置から、前記指示データを受信した場合に、前記第１処理とは相違する第２処理を実行する出力制御部とを具備し、
前記第１処理は、前記施設の再生システムに、効果音を表す音響信号を始点から供給する処理を含み、
前記第２処理は、前記音響信号を途中の時点から前記再生システムに供給する処理を含む
制御システム。
【発明の詳細な説明】
【技術分野】
【０００１】
本開示は、例えば音楽またはスポーツ等の各種のイベントにおける演出効果を制御する技術に関する。
【背景技術】
【０００２】
例えば音響ホール等の音響空間で実施されるコンサート等のイベントを、多数の利用者が遠隔地において視聴するためのシステムが、従来から提案されている（例えば特許文献１）。
【先行技術文献】
【特許文献】
【０００３】
【特許文献１】米国特許第９１３１０１６号明細書
【発明の概要】
【発明が解決しようとする課題】
【０００４】
しかし、イベントが実施される施設以外の場所において当該イベントを視聴する利用者の挙動（例えば出演者に対する声援）は、施設内に伝達されない。また、例えば身体的な障碍等の事情により応援等の行為が制限される観客は、施設内に所在する場合でもイベントに寄与することが困難である。以上の事情を考慮して、本開示の好適な態様は、イベントに寄与できる利用者を増加させることを目的とする。
【課題を解決するための手段】
【０００５】
以上の課題を解決するために、本開示のひとつの態様に係る制御方法は、イベントの収録により生成および配信されるコンテンツを当該イベントの進行に並行して視聴する複数の利用者がそれぞれ使用する複数の端末装置から、前記各利用者による指示に応じた指示データを受信し、前記複数の端末装置のうち第１配信環境により配信される第１コンテンツを視聴する利用者の第１端末装置から前記指示データを受信した場合に、前記イベントが実施される施設に演出効果を出力する第１処理を実行し、前記第１配信環境よりも配信遅延が大きい第２配信環境により配信される第２コンテンツを視聴する利用者の第２端末装置から前記指示データを受信した場合に、前記第１処理とは相違する第２処理を実行する。
【０００６】
本開示のひとつの態様に係る制御システムは、イベントの収録により生成および配信されるコンテンツを当該イベントの進行に並行して視聴する複数の利用者がそれぞれ使用する複数の端末装置から、前記各利用者による指示に応じた指示データを受信する受信制御部と、前記複数の端末装置のうち第１配信環境により配信される第１コンテンツを視聴する利用者の第１端末装置から前記指示データを受信した場合に、前記イベントが実施される施設に演出効果を出力する第１処理を実行し、前記第１配信環境よりも配信遅延が大きい第２配信環境により配信される第２コンテンツを視聴する利用者の第２端末装置から前記指示データを受信した場合に、前記第１処理とは相違する第２処理を実行する出力制御部とを具備する。
【図面の簡単な説明】
【０００７】
【図１】第１実施形態における通信システムの構成を例示するブロック図である。
【図２】第１配信環境および第２配信環境の説明図である。
【図３】端末装置の構成を例示するブロック図である。
【図４】受付処理の具体的な手順を例示するフローチャートである。
【図５】選択画面の模式図である。
【図６】制御システムの構成を例示するブロック図である。
【図７】複数の音響信号の説明図である。
【図８】制御システムの機能的な構成を例示するブロック図である。
【図９】制御処理の具体的な手順を例示するフローチャートである。
【図１０】第２実施形態における制御処理の手順を例示するフローチャートである。
【図１１】第２実施形態における制御処理の説明図である。
【図１２】第３実施形態における制御処理の手順を例示するフローチャートである。
【図１３】第４実施形態における通信システムの構成を例示するブロック図である。
【図１４】第４実施形態における制御処理の手順を例示するフローチャートである。
【図１５】第５実施形態における指示データの模式図である。
【図１６】第５実施形態における複数の音響信号の説明図である。
【図１７】変形例（１）における複数の音響信号の説明図である。
【図１８】変形例（２）における複数の音響信号の説明図である。
【図１９】端末装置の利用者が再生機器を利用してコンテンツを視聴する状況の説明図である。
【発明を実施するための形態】
【０００８】
Ａ：第１実施形態
図１は、第１実施形態に係る通信システム１００の構成を例示するブロック図である。通信システム１００は、例えばインターネット等の通信網３００を介して複数の端末装置１０の各々と通信可能なコンピュータシステムである。複数の端末装置１０の各々は、例えば携帯電話機，スマートフォン，タブレット端末またはパーソナルコンピュータ等の情報端末である。各利用者Ｕは自身の端末装置１０を利用する。
【０００９】
通信システム１００は、収録システム２１aと収録システム２１bと配信システム２２aと配信システム２２bと再生システム２３と制御システム３０とを具備する。なお、以下の説明においては、収録システム２１aと収録システム２１bとを区別する必要がない場合には単に「収録システム２１」と表記する。同様に、配信システム２２aと配信システム２２bとを区別する必要がない場合には単に「配信システム２２」と表記する。
【００１０】
収録システム２１aと収録システム２１bと再生システム２３とは、各種のイベントが実施される施設２００内に設置される。具体的には、施設２００は、複数の出場者が特定のスポーツにより競技するイベント（以下「競技イベント」という）が実施される競技場である。なお、例えば感染症の蔓延の防止等の種々の事情により、施設２００内に観客が存在しない状況で競技イベント（すなわち無観客試合）が実施される場合がある。
【００１１】
再生システム２３は、施設２００内に設置された音響設備により構成される音響システムであり、施設２００内に音響を再生する。再生システム２３は、例えば、施設２００内の相異なる場所に設置された複数の放音装置（例えばスピーカ装置）を具備する。なお、再生システム２３と制御システム３０とを単体の装置として構成してもよい。
【００１２】
制御システム３０は、再生システム２３による音響の再生を制御するコンピュータシステムである。具体的には、制御システム３０は、再生システム２３に各種の効果音を再生させる。効果音は、例えば、多数の観客が発声する歓声、多数の観客による拍手で発音される拍手音、または観客の指笛により発音される指笛音、打楽器または管楽器等の楽器の演奏により発音される楽器音等の各種の演出音である。競技イベントの出場者は、再生システム２３が再生する効果音を聴取可能である。以上のように放音システムが効果音を再生することで、施設２００内に観客が存在しない状況または観客が少ない状況でも、恰も多数の観客が競技イベントを観覧しているかのような雰囲気を施設２００内に生成できる。
【００１３】
収録システム２１は、施設２００内で実施される競技イベントの動画を収録する。具体的には、各収録システム２１は、競技イベントの映像を撮像する撮像装置と、競技イベントの音響を収音する収音装置とを具備する。収音装置が収音する音響は、施設２００内に所在する出場者または観客が発音した音響に加えて再生システム２３による再生音を含む。撮像装置が撮像する映像と収音装置が収音する音響とで構成される動画が収録システム２１により生成される。収録システム２１aと収録システム２１bとは、施設２００内で実施される共通の競技イベントの動画を並列に収録する。
【００１４】
配信システム２２aは、収録システム２１aが収録した動画を含むコンテンツＣaを端末装置１０に配信する。具体的には、配信システム２２aは、競技イベントの進行に並行してコンテンツＣaを配信（すなわちライブ配信）する。同様に、配信システム２２bは、収録システム２１bが収録した動画を含むコンテンツＣbを端末装置１０に配信する。具体的には、配信システム２２bは、競技イベントの進行に並行してコンテンツＣbを配信する。配信システム２２aによるコンテンツＣaの配信と配信システム２２bによるコンテンツＣbの配信とは並列に実行される。以上の説明から理解される通り、コンテンツＣaとコンテンツＣbとは、施設２００内で実施される共通の競技イベントを対象とするが、配信元（配信システム２２a／配信システム２２b）が相違する。なお、以下の説明において、コンテンツＣaとコンテンツＣbとを区別する必要がない場合には単に「コンテンツＣ」と表記する。
【００１５】
図２に例示される通り、複数の端末装置１０の各々は、コンテンツＣaおよびコンテンツＣbの何れかを受信することが可能である。以下の説明においては、収録システム２１aによる収録で生成されるコンテンツＣaが配信システム２２aにより端末装置１０に配信される環境を「第１配信環境」と表記する。同様に、収録システム２１bによる収録で生成されるコンテンツＣbが配信システム２２bにより端末装置１０に配信される環境を「第２配信環境」と表記する。第１配信環境および第２配信環境の何れかが端末装置１０毎に選択される。以下の説明においては、第１配信環境によりコンテンツＣaを受信する端末装置１０を「端末装置１０a」と表記し、第２配信環境によりコンテンツＣbを受信する端末装置１０を「端末装置１０b」と表記する場合がある。端末装置１０aの利用者Ｕは、当該端末装置１０aが再生するコンテンツＣaを視聴する。端末装置１０bの利用者Ｕは、当該端末装置１０bが再生するコンテンツＣbを視聴する。各利用者Ｕは、施設２００の外側（例えば自宅）に位置する。
【００１６】
第１配信環境と第２配信環境との間では配信遅延が相違する。配信遅延は、競技イベントの進行に対するコンテンツＣの再生の遅延である。例えば、競技イベントにおいて特定の事象が発生した時点から、コンテンツＣにおける当該事象を端末装置１０が再生する時点までの時間長が、配信遅延に相当する。配信遅延は、例えば、収録システム２１と配信システム２２との間の通信状況、配信システム２２がコンテンツＣを配信する端末装置１０の総数、または、配信システム２２がコンテンツＣを生成する画像処理の所要時間等の種々の要因に依存する。
【００１７】
具体的には、第２配信環境は、第１配信環境と比較して配信遅延が大きい。したがって、コンテンツＣbの再生の進行は、コンテンツＣaの再生の進行に対して遅延した関係にある。例えば、コンテンツＣbを視聴する利用者Ｕが競技イベント内の特定の事象（例えば試合内の得点シーン）を認識する時点は、コンテンツＣaを視聴する利用者Ｕが当該事象を認識する時点に対して遅延した関係にある。なお、第１配信環境における配信遅延は充分に小さい。すなわち、コンテンツＣaは、施設２００内の競技イベントの進行に対して殆ど遅延なく再生される。
【００１８】
図３は、各端末装置１０の構成を例示するブロック図である。端末装置１０は、制御装置１１と記憶装置１２と通信装置１３と再生装置１４と操作装置１５とを具備する。なお、端末装置１０は、単体の装置として実現されるほか、相互に別体で構成された複数の装置の集合としても実現される。
【００１９】
制御装置１１は、端末装置１０の各要素を制御する単数または複数のプロセッサで構成される。例えば、制御装置１１は、ＣＰＵ（Central Processing Unit）、ＧＰＵ（Graphic Processing Unit）、ＤＳＰ（Digital Signal Processor）、ＦＰＧＡ（Field Programmable Gate Array）、またはＡＳＩＣ（Application Specific Integrated Circuit）等の１種類以上のプロセッサにより構成される。
【００２０】
記憶装置１２は、制御装置１１が実行するプログラムと制御装置１１が使用する各種のデータとを記憶する単数または複数のメモリである。記憶装置１２は、例えば磁気記録媒体または半導体記録媒体等の公知の記録媒体により構成される。なお、複数種の記録媒体の組合せにより記憶装置１２を構成してもよい。また、端末装置１０に着脱される可搬型の記録媒体、または端末装置１０が通信網３００を介して書込および読出を実行できる記録媒体（例えばクラウドストレージ）を、記憶装置１２として利用してもよい。
【００２１】
通信装置１３は、通信網３００を介して通信システム１００（配信システム２２a，配信システム２２bおよび制御システム３０）と通信する。例えば、通信装置１３は、配信システム２２aから配信されるコンテンツＣaまたは配信システム２２bから配信されるコンテンツＣbを受信する。
【００２２】
再生装置１４は、制御装置１１による制御のもとで、映像と音響とを含む動画を再生する。例えば、再生装置１４は、通信装置１３が受信するコンテンツＣを再生する。再生装置１４は、表示装置１４１と放音装置１４２とを具備する。表示装置１４１は、制御装置１１による制御のもとで画像を表示する。表示装置１４１は、例えば液晶パネルまたは有機ＥＬ（ElectroLuminescence）パネル等の表示パネルで構成される。例えば、表示装置１４１はコンテンツＣの映像を表示する。放音装置１４２は、制御装置１１による制御のもとで音響を再生する。例えば、放音装置１４２はコンテンツＣの音響を再生する。
【００２３】
操作装置１５は、利用者Ｕからの指示を受付ける入力機器である。操作装置１５は、例えば、利用者Ｕが操作する複数の操作子、または、表示装置１４１と一体に構成されたタッチパネルである。利用者Ｕは、操作装置１５を操作することで、再生システム２３が施設２００内に再生する所望の効果音を複数の効果音から選択できる。
【００２４】
図４は、制御装置１１が実行する処理（以下「受付処理」という）Ｓaの具体的な手順を例示するフローチャートである。受付処理Ｓaは、再生システム２３が施設２００内に放音する効果音の指示を利用者Ｕから受付ける処理である。再生装置１４によるコンテンツＣの再生に並行して受付処理Ｓaが実行される。すなわち、競技イベントの進行に並行して受付処理Ｓaが実行される。
【００２５】
制御装置１１は、再生装置１４が再生しているコンテンツＣの配信環境（第１配信環境／第２配信環境）を特定する（Ｓa1）。再生装置１４によるコンテンツＣaの再生中には第１配信環境が特定され、コンテンツＣbの再生中には第２配信環境が特定される。配信環境の特定には、例えば以下に例示する方法１から方法３が採用される。
【００２６】
［方法１］
配信システム２２が配信するコンテンツＣには、配信環境を表す識別情報Ｄが含まれる。例えば配信環境の識別情報Ｄを表すＱＲコード（登録商標）等の図像がコンテンツＣの映像内に配置される。制御装置１１は、当該コンテンツＣの映像を解析することで配信環境の識別情報Ｄを抽出可能である。また、例えば配信環境の識別情報Ｄを表す音響成分がコンテンツＣの音響に含有される。制御装置１１は、当該コンテンツＣの音響を解析することで配信環境の識別情報Ｄを抽出可能である。なお、配信環境の識別情報Ｄの音響成分は、例えば、利用者Ｕが聴取し難い周波数帯域の音響成分である。
【００２７】
［方法２］
利用者Ｕは、操作装置１５を操作することで、再生装置１４による再生中のコンテンツＣの配信環境を指示する。制御装置１１は、操作装置１５に対する利用者Ｕからの指示に応じて配信環境を特定する。
【００２８】
［方法３］
制御装置１１は、再生装置１４による再生中のコンテンツＣのうち配信環境に応じて相違する特定の区間（以下「参照区間」という）の映像を、通信網３００に接続された照合装置（図示略）に照会する。照合装置は、配信環境毎にコンテンツＣの参照区間の映像を記憶する。照合装置は、相異なる配信環境に対応する複数の映像のうち端末装置１０から照会された映像を特定し、当該映像に対応する配信環境の識別情報Ｄを照会元の端末装置１０に送信する。制御装置１１は、照合装置から送信された識別情報Ｄを通信装置１３により受信することで配信環境を特定する。
【００２９】
なお、以上の説明においては映像を照合したが、コンテンツＣの音響を配信環境の特定に利用してもよい。例えば、制御装置１１は、再生中のコンテンツＣのうち配信環境に応じて相違する参照区間の音響を照合装置に照会する。照合装置は、配信環境毎にコンテンツＣの参照区間の音響を記憶する。照合装置は、相異なる配信環境に対応する複数の音響のうち端末装置１０から照会された音響を特定し、当該音響に対応する配信環境の識別情報Ｄを照会元の端末装置１０に送信する。制御装置１１は、照合装置から送信された識別情報Ｄを通信装置１３により受信することで配信環境を特定する。なお、参照区間の音響に対する音声認識で推定された文字列を、照合装置に照会してもよい。
【００３０】
以上の手順により配信環境を特定すると、制御装置１１は、図５に例示される選択画面Ｇを表示装置１４１に表示させる（Ｓa2）。例えばコンテンツＣの映像とともに選択画面Ｇが表示される。選択画面Ｇは、利用者Ｕが選択可能な複数の効果音を利用者Ｕに提示する画像である。具体的には、選択画面Ｇには、相異なる効果音に対応する複数の操作画像ｇが表示される。各操作画像ｇは、操作装置１５を利用して利用者Ｕが操作可能なソフトウェアボタンである。図５の「歓声」は、観客が発声する歓声を意味する。「拍手」は、観客による拍手で発音される拍手音を意味する。「指笛」は、指笛により発音される指笛音を意味する。また、「落胆」は、観客が落胆したときに発音する溜息音を意味する。
【００３１】
利用者Ｕは、競技イベントのコンテンツＣを視聴しながら選択画面Ｇを操作することで、選択画面Ｇ内の複数の効果音の何れかを選択可能である。制御装置１１は、効果音の選択を利用者Ｕから受付けるまで待機する（Ｓa3：NO）。以上の説明から理解される通り、制御装置１１は、複数の効果音の何れかの指示を利用者Ｕから受付ける要素として機能する。
【００３２】
効果音の選択を受付けた場合（Ｓa3：YES）、制御装置１１は、利用者Ｕによる指示に応じた指示データＱを通信装置１３により制御システム３０に送信する（Ｓa4）。指示データＱは、端末装置１０の配信環境（第１配信環境／第２配信環境）を表す識別情報Ｄと、利用者Ｕが指定した効果音の識別情報Ｅとを含む。識別情報Ｅは、効果音を識別するための符号列である。なお、選択画面Ｇに対する利用者Ｕの操作は、所定長（例えば１秒間）の期間毎に１回だけ有効な操作として受付けられる。すなわち、利用者Ｕが短い間隔で選択画面Ｇを何度も操作した場合、当該期間内における最初の操作のみが有効に受付けられ、以後の操作は無視される。
【００３３】
指示データＱを送信すると（Ｓa4）、制御装置１１は、利用者Ｕから終了が指示されたか否かを判定する（Ｓa5）。終了が指示されていない場合（Ｓa5：NO）、制御装置１１は、利用者Ｕによる効果音の選択を待機する（Ｓa3）。利用者Ｕから終了が指示された場合（Ｓa5：YES）、制御装置１１は受付処理Ｓaを終了する。以上の説明から理解される通り、再生装置１４によるコンテンツＣの再生に並行して、利用者Ｕによる効果音の指示毎に、当該効果音の指定（識別情報Ｅ）を含む指示データＱが制御システム３０に送信される。各端末装置１０が以上の処理を実行することで、相異なる端末装置１０から送信された複数の指示データＱが制御システム３０に送信される。
【００３４】
なお、利用者Ｕによる効果音の選択を受付けた場合に（Ｓa3：YES）、制御装置１１は、当該効果音を放音装置１４２に再生させてもよい。例えば、相異なる効果音の波形を表す音響信号が記憶装置１２に記憶される。制御装置１１は、利用者Ｕが選択した効果音に対応する音響信号を放音装置１４２に供給することで当該効果音を再生させる。なお、音高または音質が相違する複数の音響信号を効果音毎に記憶装置１２に記憶し、制御装置１１は、利用者Ｕが選択した効果音に対応する複数の音響信号の何れかを放音装置１４２に供給してもよい。例えば、制御装置１１は、効果音に対応する複数の音響信号の何れかをランダムに選択して放音装置１４２に供給する。
【００３５】
図６は、制御システム３０の構成を例示するブロック図である。制御システム３０は、制御装置３１と記憶装置３２と通信装置３３とを具備する。なお、制御システム３０は、単体の装置として実現されるほか、相互に別体で構成された複数の装置の集合としても実現される。
【００３６】
制御装置３１は、制御システム３０の各要素を制御する単数または複数のプロセッサで構成される。例えば、制御装置３１は、ＣＰＵ、ＧＰＵ、ＤＳＰ、ＦＰＧＡ、またはＡＳＩＣ等の１種類以上のプロセッサにより構成される。通信装置３３は、通信網３００を介して各端末装置１０と通信する。
【００３７】
記憶装置３２は、制御装置３１が実行するプログラムと制御装置３１が使用する各種のデータとを記憶する単数または複数のメモリである。記憶装置３２は、例えば磁気記録媒体または半導体記録媒体等の公知の記録媒体により構成される。複数種の記録媒体の組合せにより記憶装置３２を構成してもよい。なお、制御システム３０に着脱される可搬型の記録媒体、または制御システム３０が通信網３００を介して書込および読出を実行できる記録媒体（例えばクラウドストレージ）を、記憶装置３２として利用してもよい。
【００３８】
記憶装置３２は、相異なる効果音に対応する複数の音響信号Ｘを記憶する。各効果音に対応する音響信号Ｘは、当該効果音の波形を表すデータである。各音響信号Ｘは、事前に収録または合成されたうえで記憶装置３２に記憶される。音響信号Ｘは、例えばＭＰ３（MPEG-1 Audio Layer-3）等の任意の形式で表現される。
【００３９】
具体的には、記憶装置３２は、図７に例示される通り、指示数Ｍ（Ｍa，Ｍb）に関する複数の数値範囲Ｒ1〜Ｒ5の各々に対応する音響信号Ｘ（Ｘ1〜Ｘ5）を、効果音毎に記憶する。指示数Ｍaは、第１配信環境にある端末装置１０aから指示データＱを受信した回数である。指示数Ｍaは、端末装置１０aに対して効果音を指示した利用者Ｕの人数とも換言される。５個の数値範囲Ｒ1〜Ｒ5の各々は、指示数Ｍaの値域を相互に重複しないように区分した範囲である。例えば、数値範囲Ｒ1は指示数Ｍaの数値「１」に対応する。数値範囲Ｒ2は、指示数Ｍaの値域のうち２以上かつ１０未満の範囲である。数値範囲Ｒ3は、指示数Ｍaの値域のうち１０以上かつ５０未満の範囲であり、数値範囲Ｒ4は、指示数Ｍaの値域のうち５０以上かつ１００未満の範囲である。また、数値範囲Ｒ5は、指示数Ｍaの値域のうち１００以上の範囲である。
【００４０】
各数値範囲Ｒn（ｎ＝１〜５）に対応する音響信号Ｘは、当該数値範囲Ｒnに相当する規模の観客により発音される効果音を表す。例えば、「歓声」の効果音に対応する５個の音響信号Ｘのうち数値範囲Ｒ1に対応する１個の音響信号Ｘは、１人の観客が発音する歓声を表す。他方、「歓声」の効果音に対応する５個の音響信号Ｘのうち数値範囲Ｒ5に対応する１個の音響信号Ｘは、１００人以上の観客が発音する歓声を表す。以上の例示の通り、相異なる複数の効果音が記憶装置３２に登録される。
【００４１】
図８は、制御装置３１の機能的な構成を例示するブロック図である。図８に例示される通り、制御装置３１は、記憶装置３２に記憶されたプログラムを実行することで受信制御部５１および出力制御部５２として機能する。受信制御部５１は、各端末装置１０から送信された指示データＱを通信装置３３により受信する。受信制御部５１は、競技イベントの進行に並行して複数の端末装置１０の各々から指示データＱを受信する。
【００４２】
出力制御部５２は、受信制御部５１が受信した指示データＱに応じて再生システム２３による効果音の再生を制御する。例えば、出力制御部５２は、記憶装置３２に記憶された音響信号Ｘを再生システム２３に供給することで、当該音響信号Ｘが表す効果音を再生システム２３に再生させる。
【００４３】
図９は、出力制御部５２が実行する処理（以下「制御処理」という）Ｓbの具体的な手順を例示するフローチャートである。制御処理Ｓbは、複数の端末装置１０から送信された指示データＱに応じて再生システム２３による効果音の再生を制御する処理である。制御処理Ｓbは、競技イベントの進行に並行して所定の周期（例えば数秒毎）で反復される。すなわち、各端末装置１０の利用者ＵによるコンテンツＣの視聴に並行して制御処理Ｓbが反復される。
【００４４】
制御処理Ｓbが開始されると、制御装置３１は、第１配信環境の端末装置１０aから送信された指示データＱを受信制御部５１が受信したか否かを判定する（Ｓb1）。すなわち、第１配信環境の識別情報Ｄを含む１以上の指示データＱを受信制御部５１が受信したか否かが判定される。端末装置１０aから指示データＱを受信した場合（Ｓb1：YES）、出力制御部５２は、再生システム２３に効果音を再生させる第１処理Ｓb2を実行する。他方、端末装置１０aから指示データＱを受信していない場合（Ｓb1：NO）、出力制御部５２は第１処理Ｓb2を実行しない。なお、端末装置１０aから受信した指示データＱの個数が所定の閾値を上回る場合に出力制御部５２が第１処理Ｓb2を実行し（Ｓb1：YES）、当該個数が閾値を下回る場合に出力制御部５２が第１処理Ｓb2を実行しない（Ｓb1：NO）構成も想定される。
【００４５】
第１処理Ｓb2は、集計処理Ｓb21と再生処理Ｓb22とを含む。集計処理Ｓb21は、直前の制御処理Ｓbの実行後に端末装置１０aから指示データＱを受信した回数（指示数Ｍa）を、効果音毎に計数する処理である。具体的には、出力制御部５２は、複数の効果音の各々について、第１配信環境の識別情報Ｄと当該効果音の識別情報Ｅとを含む指示データＱの受信の回数を指示数Ｍaとして計数する。
【００４６】
再生処理Ｓb22は、複数の効果音の何れかを施設２００の再生システム２３に再生させる処理である。具体的には、複数の効果音のうち集計処理Ｓb21の結果に応じた効果音が再生処理Ｓb22により施設２００内に再生される。具体的には、出力制御部５２は、記憶装置３２に登録された複数の効果音のうち指示数Ｍaが最大である１種類の効果音を選択し、当該効果音に対応する複数の音響信号Ｘのうち指示数Ｍaが属する数値範囲Ｒnに対応する音響信号Ｘを再生システム２３に供給する。すなわち、記憶装置３２に登録された複数の効果音のうち、端末装置１０aの利用者Ｕによる指示数Ｍaが最大である効果音が、再生システム２３により再生される。ただし、端末装置１０aの利用者Ｕにより指示された２種類以上の効果音を再生システム２３に再生させてもよい。
【００４７】
以上に説明した通り、第１実施形態においては、第１配信環境によりコンテンツＣaが配信される端末装置１０aから指示データＱを受信した場合に、効果音を再生する第１処理Ｓb2が実行される。したがって、施設２００内に所在する観客だけでなく、施設２００外に所在する利用者Ｕも、競技イベントの雰囲気を盛上げることに寄与できる。すなわち、第１実施形態によれば、競技イベントに寄与できる利用者Ｕを増加させることが可能である。
【００４８】
図９に例示される通り、制御装置３１は、第２配信環境の端末装置１０bから送信された指示データＱを受信制御部５１が受信したか否かを判定する（Ｓb3）。すなわち、第２配信環境の識別情報Ｄを含む指示データＱを受信制御部５１が受信したか否かが判定される。端末装置１０bから指示データＱを受信した場合（Ｓb3：YES）、出力制御部５２は第２処理Ｓb4を実行する。第２処理Ｓb4は、第１処理Ｓb2により施設２００内に再生されている効果音の音量を変化させる処理である。他方、端末装置１０bから指示データＱを受信していない場合（Ｓb3：NO）、出力制御部５２は第２処理Ｓb4を実行しない。なお、端末装置１０bから受信した指示データＱの個数が所定の閾値を上回る場合に出力制御部５２が第２処理Ｓb4を実行し（Ｓb3：YES）、当該個数が閾値を下回る場合に出力制御部５２が第２処理Ｓb4を実行しない（Ｓb3：NO）構成も想定される。
【００４９】
第２処理Ｓb4は、集計処理Ｓb41と調整処理Ｓb42とを含む。集計処理Ｓb41は、直前の制御処理Ｓbの実行後に端末装置１０bから指示データＱを受信した回数（指示数Ｍb）を、効果音毎に計数する処理である。指示数Ｍbは、端末装置１０bに対して効果音を指示した利用者Ｕの人数とも換言される。
【００５０】
調整処理Ｓb42は、集計処理Ｓb41の結果に応じて効果音の音量を変化させる処理である。具体的には、出力制御部５２は、第１処理Ｓb2により再生された各効果音の音量を、当該効果音の指示数Ｍbに応じた増加量だけ増加させる。例えば、指示数Ｍbが大きいほど音量の増加量は増加する。音量の変化の軌跡は任意であるが、例えば所定の時間をかけて音量を経時的に増加させる構成が想定される。なお、端末装置１０aの利用者Ｕが指示した効果音が施設２００内に再生されていない場合、当該効果音に関する音量の調整は実行されない。
【００５１】
前述の通り、第２配信環境の配信遅延は第１配信環境の配信遅延よりも大きい。したがって、端末装置１０bの利用者Ｕが競技イベントのコンテンツＣbにおいて特定の事象（例えば試合内の得点シーン）を認識する時点は、端末装置１０aの利用者ＵがコンテンツＣaにおいて当該事象を認識する時点に対して遅延する。すなわち、端末装置１０aの利用者Ｕと端末装置１０bの利用者Ｕとが競技イベントの共通の事象を契機として効果音を指示した場合でも、端末装置１０bの利用者Ｕによる指示の時点は、端末装置１０aの利用者Ｕによる指示の時点に対して、配信遅延に対応する時間だけ遅延する。したがって、制御処理Ｓbの第１処理Ｓb2により再生が開始された効果音は、第２配信環境の配信遅延に対応する時間の経過後に実行される制御処理Ｓbの第２処理Ｓb4により音量が変化する。
【００５２】
以上に説明した通り、第１実施形態においては、第１配信環境よりも配信遅延が大きい第２配信環境によりコンテンツＣbが配信される端末装置１０bから指示データＱを受信した場合に、第１処理Ｓb2とは相違する第２処理Ｓb4が実行される。したがって、配信遅延が大きい第２配信環境に好適な第２処理Ｓb4を実行できるという利点がある。また、第１処理Ｓb2により再生される効果音の音量を第２処理Ｓb4により変化させることで、利用者Ｕの総数を効果音に反映させることができる。
【００５３】
第１配信環境の端末装置１０aが送信する指示データＱと第２配信環境の端末装置１０bが送信する指示データＱとを区別せず、制御システム３０による指示データＱの受信を契機として効果音の再生を開始する構成（以下「対比例」という）を想定する。前述の通り、端末装置１０bの利用者Ｕによる指示の時点は、端末装置１０aの利用者Ｕによる指示の時点に対して遅延する。したがって、対比例においては、端末装置１０aからの指示データＱに応じた効果音の再生が開始されてから遅延した時点で、当該効果音とは別個の効果音の再生が端末装置１０bの利用者Ｕからの指示に応じて開始される。以上の状況では、端末装置１０bからの指示データＱに応じた効果音の遅延が顕著に知覚される可能性がある。
【００５４】
対比例とは対照的に、第１実施形態においては、第２配信環境にある端末装置１０bから指示データＱを受信した場合に、再生中の効果音の音量が増加する。すなわち、端末装置１０bの利用者Ｕから効果音が指示された場合に、当該指示に応じた個別の効果音の再生が新たに開始されるわけではない。したがって、端末装置１０bから指示データＱを受信した場合に既存の効果音とは別個の効果音の再生が開始される対比例と比較すると、配信遅延に起因した効果音の違和感を低減できるという利点がある。
【００５５】
Ｂ：第２実施形態
第２実施形態を説明する。なお、以下に例示する各態様において機能が第１実施形態と同様である要素については、第１実施形態の説明で使用した符号と同様の符号を使用して各々の詳細な説明を適宜に省略する。
【００５６】
図１０は、第２実施形態における制御処理Ｓbの具体的な手順を例示するフローチャートである。第２実施形態においては、第１実施形態における第２処理Ｓb4の調整処理Ｓb42が再生処理Ｓb43に置換される。再生処理Ｓb43は、第２配信環境にある端末装置１０bからの指示データＱに応じた効果音を途中の時点から再生システム２３に再生させる処理である。再生処理Ｓb43以外の動作は第１実施形態と同様である。
【００５７】
図１１は、第２実施形態における制御処理Ｓbの説明図である。第１処理Ｓb2の再生処理Ｓb22において、出力制御部５２は、第１実施形態と同様に、端末装置１０aから受信した指示データＱに応じて記憶装置３２から選択した音響信号Ｘを、始点Ｐ1から再生システム２３に供給することで、当該音響信号Ｘが表す効果音を始点Ｐ1から再生させる。したがって、第２実施形態においても第１実施形態と同様の効果が実現される。
【００５８】
第２処理Ｓb4の再生処理Ｓb43において、出力制御部５２は、音響信号Ｘを途中の時点Ｐ2から再生システム２３に供給することで、当該音響信号Ｘが表す効果音を途中から再生させる。具体的には、出力制御部５２は、記憶装置３２に登録された複数の効果音のうち指示数Ｍbが最大である１種類の効果音を選択し、当該効果音に対応する複数の音響信号Ｘのうち指示数Ｍbが属する数値範囲Ｒnに対応する音響信号Ｘを特定する。そして、出力制御部５２は、当該音響信号Ｘのうち時点Ｐ2以降の区間を再生システム２３に供給する。すなわち、音響信号Ｘのうち時点Ｐ2から終点Ｐ3までの区間が効果音の再生に利用され、始点Ｐ1から時点Ｐ2までの区間は利用されない。
【００５９】
時点Ｐ2は、第２配信環境の配信遅延に応じた可変の時点である。具体的には、端末装置１０aの利用者Ｕの指示に応じて効果音の再生が開始されてから、端末装置１０bにより送信された指示データＱが受信されるまでの時間長だけ、音響信号Ｘの始点Ｐ1に対して後方の時点が、時点Ｐ2の典型例である。ただし、音響信号Ｘのうち始点Ｐ1から所定の時間が経過した時点を時点Ｐ2として再生処理Ｓb43を実行してもよい。
【００６０】
第２実施形態においても第１実施形態と同様の効果が実現される。なお、端末装置１０bからの指示データＱの受信を契機として効果音が始点Ｐ1から再生される対比例においては、端末装置１０bからの指示データＱに応じた効果音の遅延が顕著に知覚される可能性がある。第２実施形態においては、端末装置１０aからの指示データＱに応じて効果音が始点Ｐ1から再生される一方、端末装置１０bからの指示データＱに応じて効果音が途中の時点Ｐ2から再生される。したがって、端末装置１０bからの指示データＱに応じて効果音が始点Ｐ1から再生される対比例と比較して、配信遅延に起因した効果音の違和感が低減される。
【００６１】
Ｃ：第３実施形態
図１２は、第３実施形態における制御処理Ｓbの具体的な手順を例示するフローチャートである。第３実施形態においては、第１実施形態における第２処理Ｓb4の調整処理Ｓb42が付加処理Ｓb44に置換される。付加処理Ｓb44は、第２配信環境にある端末装置１０bからの指示データＱに応じた効果音を、当該第２配信環境で配信されるコンテンツＣbに付加する処理である。
【００６２】
なお、付加処理Ｓb44以外の動作は第１実施形態と同様である。例えば、第１処理Ｓb2の再生処理Ｓb22において、出力制御部５２は、第１実施形態と同様に、端末装置１０aから受信した指示データＱに応じた音響信号Ｘを再生システム２３に供給することで、当該音響信号Ｘが表す効果音を施設２００内に再生させる。したがって、第３実施形態においても第１実施形態と同様の効果が実現される。
【００６３】
第２処理Ｓb4の付加処理Ｓb44において、出力制御部５２は、音響信号Ｘを配信システム２２bに送信することで、当該配信システム２２bが各端末装置１０bに配信するコンテンツＣbに当該音響信号Ｘの効果音を付加する。具体的には、出力制御部５２は、記憶装置３２に登録された複数の効果音のうち指示数Ｍbが最大である１種類の効果音を選択し、当該効果音に対応する複数の音響信号Ｘのうち指示数Ｍbが属する数値範囲Ｒnに対応する音響信号Ｘを特定する。そして、出力制御部５２は、当該音響信号Ｘを配信システム２２bに送信する。配信システム２２bは、制御システム３０から受信した音響信号ＸをコンテンツＣbに合成する。すなわち、音響信号Ｘが表す効果音がコンテンツＣbの音響に混合される。以上の説明から理解される通り、端末装置１０bからの指示データＱに応じた効果音は、コンテンツＣbの音響として各端末装置１０bにより再生される一方、施設２００内の再生システム２３によっては再生されない。また、端末装置１０bから受信した指示データＱに応じた効果音は、第１配信環境で配信されるコンテンツＣaには付加されない。なお、端末装置１０bからの指示データＱに応じた効果音を施設２００内に再生してもよい。
【００６４】
前述の通り、対比例においては、端末装置１０bからの指示データＱに応じた効果音の遅延が顕著に知覚される可能性がある。第３実施形態においては、端末装置１０bからの指示データＱに応じた効果音が、当該端末装置１０bに配信されるコンテンツＣbに付加される。したがって、端末装置１０bからの指示データＱに応じて施設２００内に効果音が再生される対比例と比較して、配信遅延に起因した効果音の違和感が低減される。
【００６５】
Ｄ：第４実施形態
図１３は、第４実施形態における通信システム１００の構成を例示するブロック図である。第４実施形態の通信システム１００は、第１実施形態の通信システム１００に管理装置６０を追加した構成である。管理装置６０は、例えば携帯電話機，スマートフォン，タブレット端末またはパーソナルコンピュータ等の情報端末である。管理装置６０は、制御システム３０と通信可能である。制御システム３０と管理装置６０との間の通信は、通信網３００を介した有線通信、または通信網３００を使用しない近距離無線通信である。施設２００内に所在する管理者Ａが管理装置６０を使用する。管理者Ａは、例えば競技イベントを運営する組織の従業員である。管理者Ａは、競技イベントを施設２００内で観覧しながら管理装置６０を操作することが可能である。
【００６６】
管理者Ａは、競技イベントにおいて効果音が再生されるべき時点において管理装置６０を操作する。例えば、競技イベントにおける得点の場面等、効果音の再生に好適な時点または効果音を再生して問題ない時点において、管理者Ａは管理装置６０を操作する。管理者Ａからの指示を受付けた場合、管理装置６０は、出力要求Ｒを制御システム３０に送信する。制御システム３０の通信装置３３は、管理装置６０から出力要求Ｒを受信する。なお、管理者Ａは、配信遅延が小さい第１配信環境により配信されるコンテンツＣaを視聴しながら管理装置６０を操作してもよい。
【００６７】
図１４は、第４実施形態における制御処理Ｓbの具体的な手順を例示するフローチャートである。第４実施形態においては、第１実施形態における第２処理Ｓb4の調整処理Ｓb42が再生処理Ｓb45に置換される。再生処理Ｓb45は、第２配信環境にある端末装置１０bからの指示データＱに応じた効果音を、出力要求Ｒの受信を契機として再生システム２３に再生させる処理である。
【００６８】
なお、再生処理Ｓb45以外の動作は第１実施形態と同様である。例えば、第１処理Ｓb2の再生処理Ｓb22において、出力制御部５２は、第１実施形態と同様に、端末装置１０aから受信した指示データＱに応じた効果音を施設２００内に再生させる。したがって、第４実施形態においても第１実施形態と同様の効果が実現される。
【００６９】
第２処理Ｓb4の再生処理Ｓb45において、出力制御部５２は、出力要求Ｒを受信したか否かを判定する。出力制御部５２は、出力要求Ｒを受信した場合に、端末装置１０bから受信した指示データＱに応じた効果音を再生システム２３に再生させる。具体的には、出力制御部５２は、記憶装置３２に登録された複数の効果音のうち指示数Ｍbが最大である１種類の効果音を選択し、当該効果音に対応する複数の音響信号Ｘのうち指示数Ｍbが属する数値範囲Ｒnに対応する音響信号Ｘを特定する。そして、出力制御部５２は、通信装置３３が出力要求Ｒを受信した場合に当該音響信号Ｘを再生システム２３に供給する。
【００７０】
以上の説明から理解される通り、第４実施形態においては、端末装置１０bからの指示データＱに応じた効果音が、管理者Ａによる指示を契機として施設２００内に再生される。したがって、受信制御部５１が端末装置１０bから指示データＱを受信したと判定された（Ｓb3：YES）直後に効果音を再生システム２３に再生させる対比例と比較すると、競技イベントにおいて配信遅延に起因した不自然な時点で効果音が再生される可能性を低減できる。
【００７１】
Ｅ：第５実施形態
図１５は、第５実施形態において端末装置１０から制御システム３０に送信される指示データＱの模式図である。第５実施形態の指示データＱは、配信環境の識別情報Ｄと効果音の識別情報Ｅとに加えて利用者Ｕの属性Ｚを含む。属性Ｚは、例えば年齢または性別等の利用者Ｕに関する情報であり、例えば端末装置１０の記憶装置１２に記憶されている。以下の説明においては、年齢と性別との組合せを属性Ｚとして例示する。利用者Ｕによる効果音の指示毎に各端末装置１０から指示データＱが送信される点は第１実施形態と同様である。
【００７２】
図１６は、制御システム３０の記憶装置３２に記憶される音響信号Ｘの模式図である。第５実施形態の記憶装置３２は、複数の属性Ｚ（Ｚ1〜Ｚ5）の各々に対応する音響信号Ｘ（Ｘ1〜Ｘ5）を効果音毎に記憶する。各属性Ｚに対応する音響信号Ｘは、当該属性Ｚの観客により発音される効果音を表す。例えば、「歓声」の効果音に対応する５個の音響信号Ｘのうち、年齢「２０代」および性別「男性」の属性Ｚに対応する１個の音響信号Ｘは、２０代の男性が発音する歓声を表す。
【００７３】
第５実施形態における制御処理Ｓbの第１処理Ｓb2は、第１実施形態と同様に集計処理Ｓb21と再生処理Ｓb22とを含む。集計処理Ｓb21において、出力制御部５２は、端末装置１０aから受信した指示データＱが示す効果音（識別情報Ｅ）と属性Ｚとの組合せ毎に、指示数Ｍaを計数する。すなわち、１種類の効果音と１種類の属性Ｚとの組合せに対応する指示数Ｍaは、当該効果音の識別情報Ｄと当該属性Ｚとを含む指示データＱを端末装置１０aから受信した回数である。指示数Ｍaは、端末装置１０aの選択画面Ｇにおいて当該効果音を選択した当該属性Ｚの利用者Ｕの人数とも換言される。
【００７４】
再生処理Ｓb22において、出力制御部５２は、複数の指示数Ｍaのうち最大の指示数Ｍaに対応する効果音と属性Ｚとの組合せについて記憶装置３２に記憶された音響信号Ｘを、再生システム２３に供給する。すなわち、第５実施形態の出力制御部５２は、属性Ｚ毎の指示数Ｍaに応じた効果音を再生システム２３に再生させる。なお、以上の説明においては、１種類の属性Ｚに対応する効果音を再生する場合を例示したが、例えば指示数Ｍaの降順で選択された２種類以上の効果音を再生システム２３に再生させてもよい。
【００７５】
第５実施形態における制御処理Ｓbの第２処理Ｓb4は、第４実施形態と同様に集計処理Ｓb41と再生処理Ｓb45とを含む。集計処理Ｓb41において、出力制御部５２は、端末装置１０bから受信した指示データＱが示す効果音（識別情報Ｅ）と属性Ｚとの組合せ毎に、指示数Ｍbを計数する。すなわち、１種類の効果音と１種類の属性Ｚとの組合せに対応する指示数Ｍbは、当該効果音の識別情報Ｄと当該属性Ｚとを含む指示データＱを端末装置１０bから受信した回数である。指示数Ｍbは、端末装置１０bの選択画面Ｇにおいて当該効果音を選択した当該属性Ｚの利用者Ｕの人数とも換言される。
【００７６】
再生処理Ｓb45において、出力制御部５２は、管理装置６０から出力要求Ｒを受信した場合に、端末装置１０bから受信した指示データＱに応じた効果音を再生システム２３に再生させる。具体的には、出力制御部５２は、複数の指示数Ｍbのうち最大の指示数Ｍbに対応する効果音と属性Ｚとの組合せについて記憶装置３２に記憶された音響信号Ｘを、再生システム２３に供給する。すなわち、第５実施形態の出力制御部５２は、属性Ｚ毎に指示数Ｍbに応じた効果音を再生システム２３に再生させる。なお、以上の説明においては、１種類の属性Ｚに対応する効果音を再生する場合を例示したが、例えば指示数Ｍbの降順で選択された２種類以上の効果音を再生システム２３に再生させてもよい。
【００７７】
以上に説明した通り、第５実施形態においては、各端末装置１０の利用者Ｕの属性Ｚに応じた効果音が再生される。したがって、コンテンツＣを視聴する利用者Ｕの属性Ｚに対して適切な音響特性の効果音を再生できる。
【００７８】
Ｆ：変形例
以上に例示した各態様に付加される具体的な変形の態様を以下に例示する。以下の例示から任意に選択された複数の態様を、相互に矛盾しない範囲で適宜に併合してもよい。
【００７９】
（１）第１実施形態から第４実施形態においては、各数値範囲Ｒnについて１個の音響信号Ｘを記憶装置３２に記憶したが、図１７に例示される通り、複数の数値範囲Ｒ1〜Ｒ5の各々について複数の音響信号Ｘを記憶装置３２に記憶してもよい。各数値範囲Ｒnに対応する複数の音響信号Ｘは、効果音の種類（「歓声」「拍手音」等）および観客の規模（指示数Ｍの範囲）は共通するが、音高または音質等の音響特性が相違する。なお、各数値範囲Ｒnに対応する音響信号Ｘの個数を相違させてもよい。
【００８０】
第１実施形態から第４実施形態における第１処理Ｓb2の再生処理Ｓb22において、出力制御部５２は、指示数Ｍaが属する数値範囲Ｒnに対応する複数の音響信号Ｘの何れかを選択して再生システム２３に供給する。例えば、１個の数値範囲Ｒnに対応する複数の音響信号Ｘの何れかがランダムに選択される。
【００８１】
第２実施形態の再生処理Ｓb43において、出力制御部５２は、指示数Ｍbが属する数値範囲Ｒnに対応する複数の音響信号Ｘの何れかを例えばランダムに選択し、当該音響信号Ｘのうち時点Ｐ2以降の区間を再生システム２３に供給する。第３実施形態の付加処理Ｓb44において、出力制御部５２は、指示数Ｍbが属する数値範囲Ｒnに対応する複数の音響信号Ｘの何れかを例えばランダムに選択し、当該音響信号Ｘを配信システム２２bに送信する。第４実施形態の再生処理Ｓb45において、出力制御部５２は、指示数Ｍbが属する数値範囲Ｒnに対応する複数の音響信号Ｘの何れかを例えばランダムに選択し、出力要求Ｒの受信を契機として当該音響信号Ｘを再生システム２３に供給する。
【００８２】
以上のように各数値範囲Ｒnに対応する複数の音響信号Ｘが選択的に使用される構成によれば、指示数Ｍaまたは指示数Ｍbが共通する場合でも、効果音の音響特性を相違させることができる。すなわち、多様な音響特性の効果音を再生できるという利点がある。
【００８３】
（２）第５実施形態においては、各属性Ｚについて１個の音響信号Ｘを記憶装置３２に記憶したが、図１８に例示される通り、複数の属性Ｚの各々について複数の音響信号Ｘを記憶装置３２に記憶してもよい。各属性Ｚに対応する複数の音響信号Ｘは、効果音の種類（「歓声」「拍手音」等）は共通するが、音高または音質等の音響特性が相違する。なお、各属性Ｚに対応する音響信号Ｘの個数を相違させてもよい。
【００８４】
第５実施形態における第１処理Ｓb2の再生処理Ｓb22において、出力制御部５２は、指示数Ｍaの最大値に対応する効果音と属性Ｚとの組合せについて記憶装置３２に記憶された複数の音響信号Ｘの何れかを選択して再生システム２３に供給する。例えば、１個の属性Ｚに対応する複数の音響信号Ｘの何れかがランダムに選択される。
【００８５】
また、第５実施形態の出力制御部５２は、第２処理Ｓb4の再生処理Ｓb45において、指示数Ｍbの最大値に対応する効果音と属性Ｚとの組合せについて記憶された複数の音響信号Ｘの何れかを例えばランダムに選択して再生システム２３に供給する。
【００８６】
以上のように各属性Ｚに対応する複数の音響信号Ｘが選択的に使用される構成によれば、指示数Ｍaまたは指示数Ｍbが共通する場合でも、効果音の音響特性を相違させることができる。すなわち、多様な音響特性の効果音を再生できるという利点がある。
【００８７】
（３）前述の各形態においては、端末装置１０を利用してコンテンツＣを視聴する利用者Ｕが施設２００外に所在する場合を例示したが、各端末装置１０の利用者Ｕは施設２００内に所在してもよい。また、前述の各形態においては、第１配信環境にある端末装置１０aを利用して利用者ＵがコンテンツＣaを視聴する場合を例示したが、端末装置１０aの利用者Ｕは、施設２００内で競技イベントを直接に観覧してもよい。すなわち、第１配信環境にある端末装置１０aに対するコンテンツＣaの配信は省略される。第２配信環境にある端末装置１０bの利用者Ｕが視聴するコンテンツＣbは、端末装置１０aの利用者Ｕが施設２００内で観覧する競技イベントの進行に対して遅延する。したがって、端末装置１０aの利用者Ｕが施設２００内で効果音を指示する場合にも、前述の各形態と同様に、第２配信遅延の配信遅延に起因した効果音の違和感を低減できるという前述の各形態と同様の効果が実現される。端末装置１０aの利用者Ｕが施設２００内に所在する場合を想定すると、制御装置１１は、図４のステップＳa1において、当該端末装置１０aの位置情報を参照することで、利用者Ｕが施設２００内に所在することを特定できる。端末装置１０aの位置情報は、例えばＧＰＳ（Global Positioning System）またはＩＰ（Internet Protocol）アドレスを利用して生成される。
【００８８】
（４）前述の各形態においては、コンテンツＣの受信および再生と、利用者Ｕによる効果音の指示の受付との双方を、端末装置１０が実行する構成を例示したが、図１９に例示される通り、端末装置１０とは別個の再生機器７０によりコンテンツＣを再生してもよい。
【００８９】
再生機器７０は、配信システム２２により配信されるコンテンツＣを再生する。例えば、配信システム２２が通信網３００を介してコンテンツＣを配信する構成においては、通信網３００を介した通信が可能な情報端末（携帯電話機，スマートフォン，タブレット端末またはパーソナルコンピュータ等）が再生機器７０として利用される。また、配信システム２２がテレビ放送システムである構成においては、例えばテレビジョン受像機が再生機器７０として利用される。なお、テレビ放送システムによる配信遅延は充分に小さい。したがって、テレビ放送システムは、第１配信環境によりコンテンツＣを配信する配信システム２２aとして利用される。利用者Ｕは、再生機器７０により再生されるコンテンツＣを視聴しながら、端末装置１０を操作することで効果音を指示する。なお、再生機器７０の操作に利用されるリモコン装置を端末装置１０として利用してもよい。リモコン装置に設置された複数の操作子の何れかを操作することで、利用者Ｕは複数の効果音の何れかを選択できる。
【００９０】
なお、端末装置１０とは別個の再生機器７０がコンテンツＣを再生する構成においては、配信環境を特定するために以下の方法（前述の方法１の変形）を利用できる。
【００９１】
再生機器７０は、配信環境の識別情報Ｄを表すＱＲコード（登録商標）等の図像をコンテンツＣの映像とともに表示する。端末装置１０の制御装置１１は、当該端末装置１０に搭載された撮像装置により当該図像を撮像し、撮像結果を解析することで配信環境の識別情報Ｄを特定する。また、再生機器７０は、配信環境の識別情報Ｄを表す音響成分をコンテンツＣの音響とともに再生する。端末装置１０の制御装置１１は、当該端末装置１０に搭載された収音装置により再生機器７０による再生音を収音し、当該再生音を解析することで配信環境の識別情報Ｄを特定する。
【００９２】
（５）前述の各形態においては、第２配信環境の端末装置１０bから送信される指示データＱを効果音の再生に反映させたが、端末装置１０bから送信された指示データＱを効果音の再生に反映させなくてもよい。すなわち、端末装置１０bから送信された指示データＱを制御システム３０が無視してもよい。
【００９３】
（６）第１実施形態から第４実施形態の第１処理Ｓb2および第２処理Ｓb4においては、指示数Ｍが属する数値範囲Ｒnに対応する音響信号Ｘを選択した。第５実施形態の第１処理Ｓb2および第２処理Ｓb4においては、効果音を指示した利用者Ｕの属性Ｚに応じた音響信号Ｘを選択した。数値範囲Ｒnに対応する音響信号Ｘの選択と属性Ｚに応じた音響信号Ｘの選択とを併合してもよい。
【００９４】
（７）前述の各形態においては、相異なる数値範囲Ｒnに対応する複数の音響信号Ｘ（Ｘ1〜Ｘ5）を事前に記憶装置３２に格納したが、指示数Ｍ（Ｍa，Ｍb）に対応する音響信号Ｘを、指示データＱの受信毎に制御装置３１（出力制御部５２）が生成してもよい。例えば、前述の各形態における第１処理Ｓb2の再生処理Ｓb22において、出力制御部５２は、効果音毎に事前に用意された参照信号を加工することで、指示数Ｍaに応じた音響信号Ｘを生成する。各効果音の参照信号は、単数の観客が発音した当該効果音の波形を表す信号である。出力制御部５２は、指示数Ｍに対応する個数の中間信号を参照信号から生成する。複数の中間信号は、例えば音高または音質等の音響特性が相違する。出力制御部５２は、複数の中間信号を混合することで音響信号Ｘを生成する。以上の構成によれば、多数の音響信号Ｘを記憶装置３２に格納する必要がないという利点がある。
【００９５】
（８）前述の各形態においては、再生システム２３に効果音を再生させたが、施設２００内に出力される演出効果は、効果音の再生（すなわち音響効果）に限定されない。例えば、施設２００内に設置された照明装置を利用した照明効果を、制御システム３０が制御してもよい。例えば、制御システム３０は、各端末装置１０から受信した指示データＱに応じた発光パターンにより照明システムを制御する。発光パターンは、発光量または発光色の時間的な変化のパターンである。
【００９６】
例えば、第１実施形態の出力制御部５２は、第１処理Ｓb2において、端末装置１０aから受信した指示データＱに応じた発光パターンにより照明システムを制御する。また、端末装置１０bから指示データＱを受信した場合、出力制御部５２は、第２処理Ｓb4において、第１処理Ｓb2により制御されている照明システムの発光特性を変化させる。例えば、出力制御部５２は、端末装置１０bから指示データＱを受信した場合に、照明システムの発光量を増加させる。
【００９７】
第４実施形態または第５実施形態の出力制御部５２は、端末装置１０bから指示データＱを受信した場合に実行する第２処理Ｓb4において、管理者Ａによる指示（出力要求Ｒ）を契機として、当該指示データＱに応じた発光パターンにより照明システムを制御する。
【００９８】
また、例えば施設２００内に設置された演出用の発煙システムを利用した演出効果を、制御システム３０が制御してもよい。例えば、制御システム３０は、各端末装置１０から受信した指示データＱに応じた発煙パターンにより発煙システムを制御する。発煙パターンは、発煙料または煙色の時間的な変化のパターンである。
【００９９】
例えば、第１実施形態の出力制御部５２は、第１処理Ｓb2において、端末装置１０aから受信した指示データＱに応じた発煙パターンにより発煙システムを制御する。また、端末装置１０bから指示データＱを受信した場合、出力制御部５２は、第２処理Ｓb4において、第１処理Ｓb2により制御されている発煙システムの発煙特性を変化させる。例えば、出力制御部５２は、端末装置１０bから指示データＱを受信した場合に、発煙システムの発煙量を増加させる。
【０１００】
第４実施形態または第５実施形態の出力制御部５２は、端末装置１０bから指示データＱを受信した場合に実行する第２処理Ｓb4において、管理者Ａによる指示（出力要求Ｒ）を契機として、当該指示データＱに応じた発煙パターンにより発煙システムを制御する。
【０１０１】
以上の例示から理解される通り、「演出効果」は、施設２００内で出力される任意の効果を意味する。再生システム２３による効果音の再生、照明システムによる発光、および発煙システムによる発煙は、「演出効果の出力」の例示である。また、制御システム３０は、イベントにおける演出効果の出力を制御するためのコンピュータシステムとして表現される。
【０１０２】
（９）前述の各形態においては、第１配信環境と第２配信環境とでコンテンツＣの配信元（配信システム２２a，配信システム２２b）が別個である構成を例示したが、共通の配信システム２２からコンテンツＣが配信される状況でも、各端末装置１０に対する配信遅延が端末装置１０毎に相違する場合がある。すなわち、共通の配信システム２２からコンテンツＣが配信される状況でも、端末装置１０に対する配信遅延が小さい環境は第１配信環境に相当し、端末装置１０に対する配信遅延が大きい環境は第２配信環境に相当する。
【０１０３】
配信システム２２は、コンテンツＣの送信時刻を表す時刻データ（タイムスタンプ）を当該コンテンツＣとともに各端末装置１０に送信する。端末装置１０の制御装置１１は、配信システム２２から受信される時刻データが表す送信時刻を現在時刻とを比較することで、配信遅延を特定することが可能である。図４のステップＳa1において、制御装置１１は、以上の方法で特定した配信遅延から配信環境（第１配信環境／第２配信環境）を特定してもよい。
【０１０４】
（１０）第１実施形態の調整処理Ｓb42においては効果音の音量を増加させたが、端末装置１０bから指示データＱを受信した場合に調整される効果音の音響特性は音量に限定されない。例えば、調整処理Ｓb42において効果音の音高、音質または残響特性等の各種の音響特性を変化させてもよい。
【０１０５】
（１１）前述の各形態においては、複数の出場者がスポーツで競技する競技イベントを例示したが、演出効果が出力されるイベントの種類は以上の例示に限定されない。例えば、歌手またはダンサー等の実演者が実演する実演イベント（ライブ）、各種の物品を展示する展示イベント、または、学校や学習塾等の各種の教育機関が生徒に授業を提供する教育イベント、または専門家等の講演者が各種の題材について講演する講演イベント等、特定の目的で開催される各種の行事が「イベント」の概念に包含される。また、動画配信サイトにより配信される動画の作成者が自宅等の施設２００内で自身の活動を実時間的に収録および配信（すなわち生放送）する場面を想定すると、当該活動も「イベント」の概念には包含される。以上の例示から理解される通り、イベントは、演出効果が出力される各種の興行を意味する。
【０１０６】
（１２）以上の例示した端末装置１０の機能（例えば受付処理Ｓa）は、前述の通り、制御装置１１を構成する単数または複数のプロセッサと、記憶装置１２に記憶されたプログラムとの協働により実現される。また、制御システム３０の機能は、前述の通り、制御装置３１を構成する単数または複数のプロセッサと、記憶装置３２に記憶されたプログラムとの協働により実現される。
【０１０７】
以上に例示したプログラムは、コンピュータが読取可能な記録媒体に格納された形態で提供されてコンピュータにインストールされ得る。記録媒体は、例えば非一過性（non-transitory）の記録媒体であり、ＣＤ-ＲＯＭ等の光学式記録媒体（光ディスク）が好例であるが、半導体記録媒体または磁気記録媒体等の公知の任意の形式の記録媒体も包含される。なお、非一過性の記録媒体とは、一過性の伝搬信号（transitory, propagating signal）を除く任意の記録媒体を含み、揮発性の記録媒体も除外されない。また、配信装置が通信網を介してプログラムを配信する構成では、当該配信装置においてプログラムを記憶する記録媒体が、前述の非一過性の記録媒体に相当する。
【０１０８】
Ｇ：付記
以上に例示した形態から、例えば以下の構成が把握される。
【０１０９】
本開示の第１態様に係る制御方法は、イベントの収録により生成および配信されるコンテンツを当該イベントの進行に並行して視聴する複数の利用者がそれぞれ使用する複数の端末装置から、前記各利用者による指示に応じた指示データを受信し、前記複数の端末装置のうち第１配信環境により配信される第１コンテンツを視聴する利用者の第１端末装置から前記指示データを受信した場合に、前記イベントが実施される施設に演出効果を出力する第１処理を実行し、前記第１配信環境よりも配信遅延が大きい第２配信環境により配信される第２コンテンツを視聴する利用者の第２端末装置から前記指示データを受信した場合に、前記第１処理とは相違する第２処理を実行する。
【０１１０】
以上の態様においては、第１配信環境により配信される第１コンテンツを視聴する利用者の第１端末装置から指示データを受信した場合に、イベントが実施される施設に演出効果を出力する第１処理が実行される。したがって、イベントに寄与できる利用者を増加させることができる。他方、第１配信環境よりも配信遅延が大きい第２配信環境により配信される第２コンテンツを視聴する利用者の第２端末装置から指示データを受信した場合に、第１処理とは相違する第２処理が実行される。したがって、配信遅延が大きい環境に好適な第２処理を実行できる。
【０１１１】
「コンテンツ」は、端末装置の利用者に提供される情報（デジタルコンテンツ）である。例えば映像および音響の少なくとも一方を含む任意のコンテンツを利用者は視聴する。なお、「第１コンテンツ」と「第２コンテンツ」との異同は不問である。例えば、「第１コンテンツ」と「第２コンテンツ」とは、共通の収録システムにより収録されたコンテンツでもよいし、相異なる収録システムにより収録された別個のコンテンツでもよい。また、「第１コンテンツ」と「第２コンテンツ」とは、共通の収録システムによる収録後に相異なる処理で生成された別個のコンテンツでもよい。ただし、第１コンテンツと第２コンテンツとの間において、収録対象のイベントは共通する。
【０１１２】
「配信環境」は、コンテンツの生成（収録）から再生までの処理または通信が実行される環境を意味する。例えば、第１配信環境は、第１配信システム（例えばテレビジョン放送システム）から第１コンテンツが配信される環境であり、第２配信環境は、第１配信システムとは別個の第２配信システム（例えば動画配信システム）から第２コンテンツが配信される環境である。第２配信環境は第１配信環境よりも配信遅延が大きい環境である。したがって、例えば配信システムが共通する環境でも、端末装置がコンテンツを第１遅延量で受信できる環境は第１配信環境に相当し、端末装置によるコンテンツの受信に第１遅延量よりも大きい第２遅延量が必要である環境は第２配信環境に相当する。
【０１１３】
「配信遅延」は、イベントに対するコンテンツの再生の遅延を意味する。すなわち、イベントにおいて特定の事象が発生した時点から、コンテンツにおける当該事象が端末装置において再生される時点までの時間長が「配信遅延」の具体例である。
【０１１４】
「演出効果」は、イベントにおける演出的な効果である。例えば、イベントが実施される施設の音響設備を利用した音響効果、当該施設の表示設備を利用した映像効果、または当該施設の照明設備を利用した照明効果等、例えば施設内に所在する利用者が知覚可能な各種の効果（典型的には視覚効果または音響効果）が「演出効果」の概念に包含される。
【０１１５】
「第２処理」は、「第１処理」とは相違する任意の処理である。「第１処理」と「第２処理」との関係は、全部が相違する関係（共通する処理がない関係）でもよいし、部分的に共通する関係でもよい。
【０１１６】
第１態様の具体例（第２態様）において、前記第１処理は、前記施設の再生システムに効果音を再生させる処理（例えば再生処理Ｓb22）を含み、前記第２処理は、前記効果音の音響特性を変化させる処理（例えば調整処理Ｓb42）を含む。以上の態様によれば、第１処理により再生される効果音の音響特性を第２処理により変化させることで、第２端末装置の利用者による指示が効果音に反映される。なお、第１端末装置から受信する指示データと第２端末装置から受信する指示データとを区別せずに指示データに応じて効果音の再生を開始する構成では、第１端末装置からの指示データに応じた効果音の再生が開始されてから遅延した時点で、当該効果音とは別個の効果音の再生が第２端末装置の利用者からの指示に応じて開始される。したがって、効果音の受聴者に遅延が顕著に知覚される可能性がある。前述の態様によれば、第１処理により再生が開始された効果音の音響特性が第２処理により変化するから、配信遅延に起因した効果音の違和感を低減できる。
【０１１７】
第１態様の具体例（第３態様）において、前記第１処理は、前記施設の再生システムに、効果音を表す音響信号を始点から供給する処理（例えば再生処理Ｓb22）を含み、前記第２処理は、前記音響信号を途中の時点から前記再生システムに供給する処理（例えば再生処理Ｓb43）を含む。以上の態様によれば、第１処理および第２処理の各々において音響信号を再生システムに供給することで、第１端末装置および第２端末装置の各々の利用者による指示に応じた効果音が再生される。なお、第１端末装置から受信する指示データと第２端末装置から受信する指示データとを区別せずに指示データに応じて効果音の再生を開始する構成では、第１端末装置からの指示データに応じた効果音の再生が開始されてから遅延した時点で、当該効果音とは別個の効果音の再生が第２端末装置の利用者からの指示に応じて開始される。したがって、効果音の受聴者に遅延が顕著に知覚される可能性がある。前述の態様によれば、第２処理においては音響信号が途中の時点から再生システムに供給されるから、配信遅延に起因した効果音の違和感を低減できる。
【０１１８】
第１態様の具体例（第４態様）において、前記第１処理は、前記施設の再生システムに効果音を再生させる処理（例えば再生処理Ｓb22）を含み、前記第２処理は、前記効果音を前記第２コンテンツに付加する処理（例えば付加処理Ｓb44）を含む。第２配信環境により配信される第２コンテンツを視聴する利用者の第２端末装置から指示データを受信した場合に、第１処理と同様に効果音を再生する構成では、イベントの進行に対して遅延した時点で効果音の再生が開始される。したがって、効果音の受聴者に遅延が顕著に知覚される可能性がある。前述の態様によれば、第２コンテンツに効果音が付加されるから、配信遅延に起因した効果音の違和感を低減できる。
【０１１９】
第１態様の具体例（第５態様）において、前記第２処理は、管理者による指示を契機として前記施設に演出効果を出力する処理（例えば再生処理Ｓb45）を含む。以上の態様によれば、第２端末装置から指示データを受信した場合に、管理者による指示を契機として演出効果が出力される。したがって、第２配信環境における配信遅延に起因した不自然な時点で演出効果が出力される可能性を低減できる。
【０１２０】
第１態様の具体例（第６態様）において、前記第２処理は、前記第２端末装置から指示データを受信した回数を、前記第２端末装置の利用者の属性毎に計数する処理（例えば集計処理Ｓb41）と、前記属性毎の回数に応じた演出効果を出力する処理（例えば再生処理Ｓb45）とを含む。以上の態様においては、端末装置の利用者の属性に応じた演出効果が出力される。したがって、コンテンツを視聴する利用者の属性に対して適切な演出効果を出力できる。
【０１２１】
第１態様から第６態様の何れかの具体例（第７態様）において、前記第１端末装置から指示データを受信した回数に関する複数の数値範囲の各々について相異なる複数の効果音が登録され、前記第１処理は、前記第１端末装置から指示データを受信した回数を計数する処理と、前記複数の数値範囲のうち当該回数を含む数値範囲に対応する前記複数の効果音の何れかを選択的に前記施設の再生システムに再生させる処理とを含む。以上の構成によれば、第１端末装置から指示データを受信した回数を含む数値範囲に対応する複数の効果音の何れかが再生システムにより再生される。したがって、数値範囲毎に１種類の効果音のみが用意された構成と比較して、再生システムにより多様な効果音を再生できるという利点がある。
【０１２２】
なお、本開示は、前述の各態様（態様１から態様７の何れか）に係る制御方法を実現する制御システム、または、当該制御方法をコンピュータに実行させるプログラム、としても実現される。
【符号の説明】
【０１２３】
１００…通信システム、２００…施設、３００…通信網、１０（１０a，１０b）…端末装置、１１…制御装置、１２…記憶装置、１３…通信装置、１４…再生装置、１４１…表示装置、１４２…放音装置、１５…操作装置、２１（２１a，２１b）…収録システム、２２（２２a，２２b）…配信システム、２３…再生システム、３０…制御システム、３１…制御装置、３２…記憶装置、３３…通信装置、５１…受信制御部、５２…出力制御部、６０…管理装置、７０…再生機器。
【要約】
【課題】イベントに寄与できる利用者を増加させる。
【解決手段】制御システム３０は、イベントの収録により生成および配信されるコンテンツを当該イベントの進行に並行して視聴する複数の利用者Ｕがそれぞれ使用する複数の端末装置１０から、各利用者Ｕによる指示に応じた指示データを受信する受信制御部と、複数の端末装置１０のうち第１配信環境により配信される第１コンテンツを視聴する利用者Ｕの端末装置１０から指示データを受信した場合に、イベントが実施される施設に演出効果を出力する第１処理を実行し、第１配信環境よりも配信遅延が大きい第２配信環境により配信される第２コンテンツを視聴する利用者Ｕの端末装置１０から指示データを受信した場合に、第１処理とは相違する第２処理を実行する出力制御部とを具備する。
【選択図】図１【図１】
0006958676.tif 000002
【図２】
0006958676.tif 000003
【図３】
0006958676.tif 000004
【図４】
0006958676.tif 000005
【図５】
0006958676.tif 000006
【図６】
0006958676.tif 000007
【図７】
0006958676.tif 000008
【図８】
0006958676.tif 000009
【図９】
0006958676.tif 000010
【図１０】
0006958676.tif 000011
【図１１】
0006958676.tif 000012
【図１２】
0006958676.tif 000013
【図１３】
0006958676.tif 000014
【図１４】
0006958676.tif 000015
【図１５】
0006958676.tif 000016
【図１６】
0006958676.tif 000017
【図１７】
0006958676.tif 000018
【図１８】
0006958676.tif 000019
【図１９】
0006958676.tif 000020